(57)【要約】【課題】  クラウンの保形性を高めるだけでなく、クラウンの前部を、曲率半径が小さく、見た目が自然で綺麗な略球面状とすることも容易な帽子の製造方法を提供する。【解決手段】  複数枚のレンゲを互いに繋ぎ合せることによりクラウンが略半球状とされた帽子の製造方法を、（１）クラウンの前部を形成する前側レンゲ１１，１２のみを、雄型５１における略球面状の凸面５１ａと雌型５２の略球面状の凹面５２ａとの間でプレスしながら加熱することにより、前側レンゲ１１，１２を略球面状に成形するプレス成形工程と、（２）プレス成形工程を終えた前側レンゲ１１，１２に、他のレンゲを繋ぎ合せて略半球状のクラウンを得るクラウン形成工程と、（３）クラウン形成工程を終えたクラウンを型入れしてクラウンのシワを伸ばす型入工程とを経るものとした。【選択図】図４
2014167180.tif 000002
【特許請求の範囲】
【請求項１】
複数枚のレンゲを互いに繋ぎ合せることによりクラウンが略半球状とされた帽子の製造方法であって、
クラウンの前部を形成する前側レンゲのみを、略球面状の凸面を有する雄型の該凸面と略球面状の凹面を有する雌型の該凹面との間でプレスしながら加熱することにより、前側レンゲを略球面状に成形するプレス成形工程と、
プレス成形工程を終えた前側レンゲに、他のレンゲを繋ぎ合せて略半球状のクラウンを得るクラウン形成工程と、
クラウン形成工程を終えたクラウンを型入れしてクラウンのシワを伸ばす型入工程と
を経ることを特徴とする帽子の製造方法。
【請求項２】
プレス成形工程を行う前側レンゲが、縫合によって予め略球面状に形成されたものであり、
プレス成形工程によって、その曲率半径がさらに小さくなるように前側レンゲが変形される請求項１記載の帽子の製造方法。
【請求項３】
プレス成形工程における前側レンゲの加熱が、雄型の凸面及び／又は雌型の凹面に設けられた複数の蒸気孔から吹き付けられる加圧蒸気によって行われ、
前記複数の蒸気孔から前側レンゲに吹き付けられる加圧蒸気が、雄型の凸面及び／又は雌型の凹面を覆う蒸気拡散シートで拡散されるようにした請求項１又は２記載の帽子。
【請求項４】
プレス成形工程における前側レンゲの加熱が、雄型の凸面及び／又は雌型の凹面に設けられた複数の蒸気孔から吹き付けられる加圧蒸気によって行われ、
前記複数の蒸気孔が、雄型の凸面及び／又は雌型の凹面における前側レンゲの中心部をプレスする部分で密に配置された請求項１〜３いずれか記載の帽子の製造方法。
【請求項５】
プレス成形工程を行う前側レンゲの面積が、５０〜５００ｃｍ２とされた請求項１〜４いずれか記載の帽子の製造方法。
【請求項６】
プレス成形工程を行う前側レンゲが、熱可塑性樹脂繊維からなる生地である請求項１〜５いずれか記載の帽子の製造方法。
【請求項７】
プレス成形工程を行う前側レンゲが、表地と裏地とをホットメルト接着剤で張り合わせたものである請求項１〜６いずれか記載の帽子の製造方法。
【発明の詳細な説明】
【技術分野】
【０００１】
本発明は、略半球状のクラウンを備えた帽子の製造方法に関する。
【背景技術】
【０００２】
野球帽などの帽子におけるクラウンは、通常、「レンゲ」と呼ばれる略二等辺三角形状に裁断された複数枚の生地の側縁同士を縫合することにより、略半球状に形成される。略半球状に形成されたクラウンには、鍔やビン皮など、帽子の種類に応じて必要な部材を取り付けた後、仕上げ工程として「型入れ」という作業が行われる。型入れは、略半球状に形成された型（通常、加熱されている。）をクラウンの内側に挿入した状態で、クラウンの外面を手などで押さえ付ける工程である。この型入れによって、シワを伸ばしてクラウンの形を整えたり、ビン皮などをクラウンに馴染ませたりすることが可能である。型入れに用いる金型としては、例えば、特許文献１〜３に示すものなどが提案されている。しかし、型入れが施された帽子は、クラウンの形が整えられているといっても、それは新品状態における一時的なものに過ぎず、使用や洗濯を重ねるうちに、クラウンの形状が崩れるという問題があった。
【０００３】
ところで、本出願人は、複数枚のレンゲ（クラウン形成用生地）を継ぎ合わせることにより、クラウンを略半球状に形成した帽子であって、少なくとも１枚のレンゲを、その片面にホットメルト接着剤が塗布された接着芯地と、接着芯地におけるホットメルト接着剤が塗布された面に重ねられた表地とで構成し、接着芯地と表地とを重ねた状態で加熱圧縮処理を施すことにより、レンゲを略球面状に湾曲して形成したことを特徴とする帽子を既に提案している（特許文献４を参照。）。これにより、レンゲの枚数を削減し、その裁断コストや縫製コストを削減することができるにもかかわらず、クラウン全体を綺麗な略半球状とすることや、クラウンの保形性を向上させることなどが可能になる。しかし、クラウンの前部の曲率半径が大きいと、クラウンの前部が立ったような見栄えになり、帽子の見栄えが悪くなるおそれがあるため、クラウンの前部は、曲率半径が小さく、できるだけ自然で綺麗な略球面状に成形することが好ましいところ、上記の加圧圧縮処理による方法では、必ずしもクラウンの前部を自然な略球面状に成形することが容易ではなかった。また、短時間でクラウンの成形を行い、帽子の生産性を向上することについても、課題を有していた。
【先行技術文献】
【特許文献】
【０００４】
【特許文献１】特開２００３−１６６１１３号公報
【特許文献２】特開２００９−０４１１３８号公報
【特許文献３】特開２０１０−２６３１７３号公報
【特許文献４】特開２０１２−１６２８２８号公報
【発明の概要】
【発明が解決しようとする課題】
【０００５】
本発明は、上記課題を解決するためになされたものであり、クラウンの保形性を高めるだけでなく、クラウンの前部を、曲率半径が小さく、見た目が自然で綺麗な略球面状とすることも容易な帽子の製造方法を提供するものである。
【課題を解決するための手段】
【０００６】
上記課題は、
複数枚のレンゲを互いに繋ぎ合せることによりクラウンが略半球状とされた帽子の製造方法であって、
クラウンの前部を形成する前側レンゲのみを、略球面状の凸面を有する雄型の該凸面と略球面状の凹面を有する雌型の該凹面との間でプレスしながら加熱することにより、前側レンゲを略球面状に成形するプレス成形工程と、
プレス成形工程を終えた前側レンゲに、他のレンゲ（前側レンゲ以外のレンゲという意味。以下同じ。）を繋ぎ合せて略半球状のクラウンを得るクラウン形成工程と、
クラウン形成工程を終えたクラウンを型入れしてクラウンのシワを伸ばす型入工程と
を経ることを特徴とする帽子の製造方法
を提供することによって解決される。
【０００７】
このように、他のレンゲに繋ぎ合せる前の状態の前側レンゲにプレス成形工程を施すことにより、他のレンゲにシワを寄らせることなく、前側レンゲを曲率半径の小さな自然で綺麗な略半球状に成形することが可能になる。また、前側レンゲと他のレンゲの接合は、通常、縫合によって行われるところ、プレス成形工程で略球面状に成形された後に前側レンゲを他のレンゲに縫合するようにすれば、前側レンゲと他のレンゲとの縫合部、又は他のレンゲと他のレンゲとの縫合部に、プレス成形工程による負担が掛からないようにして、クラウン形成工程で得られるクラウンに見苦しいシワが形成されないようにすることも可能になる。
【０００８】
本発明の帽子の製造方法において、プレス成形工程は、前側レンゲのみに施し、他のレンゲには施す必要はない。帽子のクラウンは、その保形性や見栄えの点からは、クラウンの前部を形成する前側レンゲが最も重要であるので、この前側レンゲのみにプレス成形工程を施すことで、効果的にクラウンの保形性や見栄えをよくすることができる。また、仮に他のレンゲにもプレス成形工程を施したとすると、クラウンの前部以外の部分、例えば、クラウンの側部や後部の柔軟性が低下してしまい、帽子の被り心地が低下するおそれがある。
【０００９】
また、本発明の帽子の製造方法において、プレス成形工程では、前側レンゲを真っ直ぐな状態から略球面状に成形してもよい。しかし、この場合には、雄型や雌型に対して前側レンゲを確実に位置決めしておかないと、雄型と雌型を閉じる際（型締めの際）に、雄型と雌型との間で前側レンゲが動いてしまい、前側レンゲを所望の形状に成形できなくなるおそれがある。このため、前側レンゲは、縫合によって予め略球面状に形成（雄型の凸面や雌型の凹面に沿う程度に略球面状に形成）しておき、プレス成形工程によって、その曲率半径がさらに小さくなるように変形させると好ましい。これにより、雄型や雌型に対する前側レンゲの位置決めが容易になり、型締めの際における前側レンゲの移動を防止して、前側レンゲを所望の形状に成形することが可能になる。
【００１０】
ここで、「縫合によって予め略球面状に形成」とは、前側レンゲを、その側縁が互いに縫合された複数枚のレンゲで構成することによって略球面状に形成する場合や、前側レンゲを、その頂点から底辺に向かって所定深さで設けられた略逆二等辺三角状の切込を有するレンゲで構成し、その切込における対向辺部を互いに縫合することにより略球面状に形成する場合などが例示される。
【００１１】
さらに、本発明の帽子の製造方法において、プレス成形工程で前側レンゲを加熱する方法は特に限定されない。例えば、雄型や雌型を、その内部に収容した熱源（ヒーターやバーナーなど）によって加熱する方法などが挙げられる。しかし、前側レンゲにダメージを与えないようにその保形性を高めることや、前側レンゲにシワが形成されるのを防止することなどを考慮すると、プレス成形工程における前側レンゲの加熱は、雄型の凸面及び／又は雌型の凹面に設けられた複数の蒸気孔から吹き付けられる加圧蒸気によって行うようにすると好ましい。
【００１２】
このとき、前記複数の蒸気孔から前側レンゲに直接的に加圧蒸気が吹き付けられると、前側レンゲにおける加熱対象場所に加熱ムラが生じるおそれがある。このため、雄型の凸面及び／又は雌型の凹面を蒸気拡散シートで覆っておき、前記複数の蒸気孔から前側レンゲに吹き付けられる加圧蒸気が、蒸気拡散シートで拡散されるようにすると好ましい。そして、前側レンゲのうち、特に保形性を高める必要（加圧蒸気を吹き付ける必要）があるのは、前側レンゲの中心部であるから、前記複数の蒸気孔を、雄型の凸面及び／又は雌型の凹面における前側レンゲの中心部をプレスする部分で密に配置すると好ましい。
【００１３】
さらにまた、本発明の帽子の製造方法において、プレス成形工程を行う前側レンゲの面積は、特に限定されない。しかし、前側レンゲの面積が広すぎると、プレス成形工程の際に、前側レンゲにおけるいずれかの場所にシワが寄りやすくなる。このため、前側レンゲの面積は、通常、５００ｃｍ２以下とされる。前側レンゲの面積は、４５０ｃｍ２以下であると好ましく、４００ｃｍ２以下であるとより好ましい。一方、前側レンゲの面積は、通常、５０ｃｍ２以上とされる。前側レンゲの面積は、１００ｃｍ２以上であると好ましく、１５０ｃｍ２以上であるとより好ましい。
【００１４】
そして、本発明の帽子の製造方法において、プレス成形工程を行う前側レンゲの素材は、プレスしながら加熱することで変形させることができるものであれば、特に限定されないが、例えば、熱可塑性樹脂繊維からなる生地（熱可塑性樹脂繊維のみで形成された生地だけでなく、熱可塑性樹脂繊維と他の繊維とが混合された生地であってもよい。）を用いると好ましい。また、プレス成形工程を行う前側レンゲは、表地と裏地とをホットメルト接着剤で張り合わせたものとすることも好ましい。これにより、プレス成形工程によって略球面状に成形された前側レンゲの保形性をさらに高めることが可能になる。
【発明の効果】
【００１５】
以上のように、本発明によって、クラウンの保形性を高めるだけでなく、クラウンの前部を、曲率半径が小さく、見た目が自然で綺麗な略球面状とすることも容易な帽子の製造方法を提供することが可能になる。
【図面の簡単な説明】
【００１６】
【図１】本発明の帽子の製造方法で製造した帽子を示した斜視図である。
【図２】図１に示した帽子を各部に分解した状態を示した斜視図である。
【図３】プレス成形工程において、プレス型に前側レンゲを設置した状態をプレス型の中心線を含む鉛直面で切断した状態を示した断面図である。
【図４】プレス成形工程において、プレス型を型締めした状態をプレス型の中心線を含む鉛直面で切断した状態を示した断面図である。
【図５】プレス成形工程を終え、プレス型を開いた状態をプレス型の中心線を含む鉛直面で切断した状態を示した断面図である。
【図６】プレス型における雄型の凸面を該凸面に垂直な方向（鉛直下側）から見た状態を示した図である。
【図７】プレス成形工程の前後における前側レンゲの形状の変化を示した写真である。
【発明を実施するための形態】
【００１７】
本発明の帽子の製造方法の好適な実施態様について、図面を用いてより具体的に説明する。図１は、本発明の帽子の製造方法で製造した帽子を示した斜視図である。図２は、図１に示した帽子を各部に分解した状態を示した斜視図である。図３は、プレス成形工程において、プレス型５０に前側レンゲ１１，１２を設置した状態をプレス型５０の中心線を含む鉛直面で切断した状態を示した断面図である。図４は、プレス成形工程において、プレス型５０を型締めした状態をプレス型５０の中心線を含む鉛直面で切断した状態を示した断面図である。図５は、プレス成形工程を終え、プレス型５０を開いた状態をプレス型５０の中心線を含む鉛直面で切断した状態を示した断面図である。図６は、プレス型５０における雄型５１の凸面５１ａを凸面５１ａに垂直な方向（鉛直下側）から見た状態を示した図である。図７は、プレス成形工程の前後における前側レンゲ１１，１２の形状の変化を示した写真である。
【００１８】
［本発明の帽子の製造方法の概要］
本発明の帽子の製造方法は、図１に示すように、略二等辺三角形状の複数枚のレンゲ１１〜１６の側縁同士を互いに繋ぎ合せることによりクラウン１０が略半球状とされた帽子を製造するものである。クラウン１０を形成するレンゲの枚数は、特に限定されるものではないが、本実施態様においては、クラウン１０の左前部を形成する左前レンゲ１１と、クラウン１０の右前部を形成する右前レンゲ１２と、クラウン１０の左側部を形成する左横レンゲ１３と、クラウン１０の右側部を形成する右横レンゲ１４と、クラウン１０の左後部を形成する左後レンゲ１５と、クラウン１０の右後部を形成する右後レンゲ１６とで構成される計６枚のレンゲ１１〜１６でクラウン１０を構成している。以下においては、クラウン１０の前部を形成する左前レンゲ１１と右前レンゲ１２とを合わせて「前側レンゲ１１，１２」と表記することがある。
【００１９】
それぞれのレンゲ１１〜１６は、単層構造としてもよいが、複層構造とすることもできる。本実施態様において、それぞれのレンゲ１１〜１６は、その外面を形成する表地と、その内面を形成する裏地とからなる２層構造としている。レンゲ１１〜１６の素材は、少なくともその前側レンゲ１１，１２がプレスしながら加熱することで変形させることができる素材であるのならば特に限定されない。このような素材としては、熱可塑性樹脂繊維からなる生地が挙げられる。熱可塑性樹脂繊維としては、ポリエステル繊維やナイロン繊維などが例示される。本実施態様においては、レンゲ１１〜１６の表地と裏地のいずれにも、ポリエステル繊維１００％の編地を採用している。
【００２０】
ところで、本実施態様のように、それぞれのレンゲ１１〜１６を複層構造とする場合には、少なくとも前側レンゲ１１，１２を形成する生地（例えば表地と裏地）を、ホットメルト接着剤で互いに固着すると好ましい。これにより、後述するプレス成形工程によって、ホットメルト接着剤が軟化し、その後、前側レンゲ１１，１２が冷却される際に、プレス型５０の形状に沿った形状で前側レンゲ１１，１２が硬化するようになるため、前側レンゲ１１，１２の保形性をさらに高めることができる。本実施態様においても、ホットメルト接着剤によって固着している。この場合、ホットメルト接着剤は、表地の裏面全体又は裏地の表面全体に面状に塗布してもよいが、この場合には、前側レンゲ１１，１２にシワが形成されやすくなるおそれがある。このため、ホットメルト接着剤は、表地の裏面又は裏地の表面に点状に塗布すると好ましい。
【００２１】
以上のように、本発明の帽子の製造方法は、略半球状のクラウンを備えた帽子を製造するためのものであるが、その工程としては、
（１）クラウン１０の前部を形成する前側レンゲ１１，１２をプレスしながら加熱することにより略球面状に成形するプレス成形工程と、
（２）プレス成形工程を終えた前側レンゲ１１，１２に、他のレンゲ１３〜１６を繋ぎ合せて略半球状のクラウン１０を得るクラウン形成工程と、
（３）クラウン形成工程を終えたクラウン１０を型入れしてクラウン１０のシワを伸ばす型入工程と
を経るものとなっている。以下、各工程について、順番に詳しく説明する。
【００２２】
［プレス成形工程］
プレス成形工程は、図３〜５に示すように、前側レンゲ１１，１２を、プレス型５０でプレスしながら加熱することにより、略球面状に成形する工程となっている。本実施態様において、前側レンゲ１１，１２は、左前レンゲ１１の側部と右前レンゲ１２の側部とを縫い合わせたものとなっており、予め緩やか（曲率半径の大き）な略球面状に形成されている。このように、前側レンゲ１１，１２を予め略球面状に形成しておくことにより、前側レンゲ１１，１２を後述する雄型５１の凸面５１ａと雌型５２の凹面５２ａとにある程度沿わせた状態で設置することが可能になる。したがって、雄型５１や雌型５２に対する前側レンゲ１１，１２の位置合わせが容易となり、前側レンゲ１１，１２を所望の形状に成形することが可能になる。
【００２３】
加えて、このように複数枚のレンゲ１１，１２を縫い合わせて前側レンゲ１１，１２を略球面状とした場合には、前側レンゲ１１，１２における縫合部に沿った箇所の剛性が他の部分よりも高まるため、前側レンゲ１１，１２は、略球面状になるといっても、そのままでは、その縫合部に沿った箇所のみが外側に出っ張った不自然な形状となりやすい。このため、複数枚のレンゲ１１，１２を縫い合わせて略球面状とした前側レンゲ１１，１２では、プレス成形工程を行うことによる必要性がさらに高まり、プレス成形工程による効果が顕著に表れるため、本発明の構成を採用する意義が高まる。
【００２４】
プレス成形工程に用いるプレス型５０は、図３に示すように、略球面状の凸面５１ａを有する雄型５１と、略球面状の凹面５２ａを有する雌型５２とで構成されている。前側レンゲ１１，１２は、雄型５１の凸面５１ａと、雌型５２の凹面５２ａとの間に挟持された状態でプレスされる。雄型５１と雌型５２は、非鉛直方向（水平方向など）に対向するように配置してもよいが、通常、鉛直方向に対向するように配置される。これにより、型締め前の雄型５１や雌型５２に対して前側レンゲ１１，１２を支持する機構を別途設けなくても、前側レンゲ１１，１２を支持することが可能となるし、プレス型５０の機構も簡素で省スペースなものとすることができる。この場合、いずれを上型（鉛直上側に配される型）としていずれを下型（鉛直下側に配される）するかは特に限定されないが、本実施態様においては、雄型５１を上型とし、雌型５２を下型としている。
【００２５】
プレス成形工程における前側レンゲ１１，１２の加熱は、雄型５１や雌型５２を直接的に加熱することによって行ってもよいが、本実施態様においては、雄型５１から吹き付ける加圧蒸気によって行うようにしている。すなわち、雄型５１の凸面５１ａには、図６に示すように、直径１ｃｍ程度の複数の蒸気孔５１ｂを設けており、これらの蒸気孔５１ｂから吹き付けられる加圧蒸気によって前側レンゲ１１，１２を加熱するようにしている。複数の蒸気孔５１ｂは、雄型５１の凸面５１ａにおける中心部（最も下方に突き出た部分）及びその周辺に７行７列で計４９個設けている。これにより、前側レンゲ１１，１２の中心部を効果的に加熱することができるようになっている。
【００２６】
また、本実施態様においては、図３に示すように、雄型５１の凸面５１ａを蒸気拡散シート５３で覆っている。このため、複数の蒸気孔５１ｂから吹き出された加圧蒸気は、蒸気拡散シート５３で拡散されてから前側レンゲ１１，１２に吹き付けられるようになっている。したがって、前側レンゲ１１，１２の中心部を均一に加熱することができるようになっている。蒸気拡散シート５３の素材は、通気性を有するものであれば特に限定されないが、クッション性を有する厚手（非圧縮時の厚さが１〜２０ｍｍ程度）のシート又はマットを用いると好ましい。これにより、型締めの際に前側レンゲ１１，１２が狭い隙間内にピッタリと挟み込まれないようにして、前側レンゲ１１，１２にシワが形成されるのを防止することが可能になる。本実施態様においては、蒸気孔５１ｂが設けられた雄型５１だけでなく、蒸気孔５１ｂが設けられていない雌型５２の凹面も、蒸気拡散シート５３と同じ素材からなる蒸気拡散シート５４で覆っており、前側レンゲ１１，１２にシワがさらに形成されにくくしている。
【００２７】
複数の蒸気孔５１ｂから吹き付ける加圧蒸気の温度は、特に限定されないが、低すぎると、前側レンゲ１１，１２に高い保形性を付与することが困難になるおそれがある。このため、加圧蒸気の温度は、通常、８０℃以上とされる。加圧蒸気の温度は、９０℃以上であると好ましく、９５℃以上であると好ましい。加圧蒸気の温度は、圧力を高めることにより１００℃以上とすることも可能であるが、高くしすぎると、前側レンゲ１１，１２が焦げるおそれがある。このため、加圧蒸気の温度は、通常、２００℃以下とされる。加圧蒸気の温度は、１７０℃以下であると好ましく、１５０℃以下であるとより好ましい。本実施態様において、加圧蒸気の温度は、約１４０℃としている。
【００２８】
また、複数の蒸気孔５１ｂから加圧蒸気を吹き付ける時間（加熱時間）は、プレス成形工程を行う前側レンゲ１１，１２を形成する生地の厚さなどによっても異なり、特に限定されない。しかし、加熱時間が短すぎると、前側レンゲ１１，１２を所望の形状に成形して維持しにくくなるおそれがある。このため、加熱時間は、通常、１秒以上とされる。加熱時間は、３秒以上であると好ましく、５秒以上であるとより好ましい。一方、加熱時間を長くしすぎると、プレス成形工程において、前側レンゲ１１，１２を所望の形状に成形して維持することが困難になるおそれがある。また、帽子の生産性も低下するおそれがある。さらに、加圧蒸気の温度によっては、前側レンゲ１１，１２が焦げるおそれがある。このため、加熱時間は、通常、２０秒以下とされる。加熱時間は、１５秒以下であると好ましく、１０秒以下であるとより好ましい。本実施態様において、前側レンゲ１１，１２を形成する生地の厚さは２ｍｍ程度となっており、プレス成形工程における加熱時間は、５〜６秒としているが、前側レンゲ１１，１２を形成する生地が厚い場合には、これよりも加熱時間を長くするとよい。
【００２９】
ところで、本実施態様においては、上述したように、プレス成形工程を行う前側レンゲ１１，１２を縫合によって予め略球面状に形成したが、プレス成形工程前の前側レンゲ１１，１２における最も曲率半径が小さい部分における曲率半径ｒ１（図３を参照）に対する、プレス成形工程後の前側レンゲ１１，１２における最も曲率半径が小さい部分における曲率半径ｒ２（図５を参照）の比ｒ２／ｒ１は、小さくしすぎると、プレス成形工程における前側レンゲ１１，１２の変形が大きくなり、前側レンゲ１１，１２にシワが形成されやすくなるおそれがある。また、雄型５１や雌型５２に対して前側レンゲ１１，１２を位置決めしにくくなるおそれもある。このため、比ｒ２／ｒ１は、通常、０．３以上とされる。比ｒ２／ｒ１は、０．４以上であると好ましく、０．５以上であるとより好ましい。一方、比ｒ２／ｒ１を大きくしすぎる（１に近づけすぎる）と、プレス成形工程で前側レンゲ１１，１２の成形を行う意義が低下するおそれがある。このため、比ｒ２／ｒ１は、通常、０．９５以下とされる。比ｒ２／ｒ１は、０．９以下とすると好ましく、０．８以下とするとより好ましい。
【００３０】
プレス成形工程後の前側レンゲ１１，１２は、図７の下側に示すように、プレス成形工程前（同図上側）よりも、曲率半径が小さく見た目が自然で綺麗な略球面状となっている。プレス成形工程を完了すると、前側クラウン１１，１２を冷却する。前側クラウン１１，１２は、積極的に冷却してもよいが、通常、自然冷却で十分である。
【００３１】
［クラウン成形工程］
プレス成形工程を終えると、続いて、クラウン成形工程を行う。クラウン成形工程は、図２に示すように、プレス成形工程を終えた前側レンゲ１１，１２に、他のレンゲ１３〜１６を繋ぎ合せて略半球状のクラウン１０を得る工程である。他のレンゲ１３〜１６は、前側レンゲ１１，１２に繋ぎ合せる前に、予め互いに繋ぎ合せていてもよいし、前側レンゲ１１，１２にレンゲ１３，１４を繋ぎ合せ、さらにレンゲ１５，１６を繋ぎ合せるようにしてもよい。レンゲ１１〜１６を互いに繋ぎ合せる方法は、通常、ミシンなどを用いて各生地を縫合することによって行われる。このとき、レンゲ１１〜１６の境界部には、通常、帯材２０（図２を参照）が縫い合わせられる。
【００３２】
クラウン成形工程を終えて略半球状となったクラウン１０には、ビン皮３０（図２を参照）や鍔４０（図２を参照）など、帽子の種類に応じて必要な部材が取り付けられる。
【００３３】
［型入工程］
クラウン成形工程を終えると、続いて、型入工程を行う。型入工程は、クラウン形成工程を終えたクラウン１０を型入れしてクラウン１０のシワを伸ばす工程である。型入れは、略半球状に形成された型（通常、加熱されている。）をクラウン１０の内側に挿入した状態で、クラウン１０の外面を手などで押さえ付けることなどにより行う。この型入工程によって、シワを伸ばしてクラウン１０の形を整えたり、ビン皮などをクラウン１０に馴染ませたりすることが可能である。型入工程に用いる型としては、従来から用いられている各種のものを使用することができる。
【００３４】
型入工程を完了すると、本実施態様の帽子の製造方法は完了する。
【００３５】
［用途］
本発明の帽子の製造方法は、略半球状のクラウンを備えた各種の帽子を製造するのに用いることができる。略半球状のクラウンを備えた帽子としては、野球帽のようにクラウン前部の下縁に鍔（前鍔）を備えたキャップ型のもののほか、クラウン全周部の下縁に鍔（プリム）を備えたハット型のものなどが例示される。本発明の帽子の製造方法は、クラウンの保形性を向上させることができるものであるため、着用や洗濯などによるクラウンの型崩れが問題となりやすい、野球帽などの運動帽や、通学帽や、作業帽など、頻繁な着用と洗濯が想定される帽子を製造するのに特に好適である。
【符号の説明】
【００３６】
１０    クラウン
１１    左前レンゲ（前側レンゲ）
１２    右前レンゲ（前側レンゲ）
１３    左横レンゲ
１４    右横レンゲ
１５    左後レンゲ
１６    右後レンゲ
２０    帯材
３０    ビン皮
４０    鍔
５０    プレス型
５１    雄型
５１ａ  凸面
５１ｂ  蒸気孔
５２    雌型
５２ａ  凹面
５３    蒸気拡散シート
５４    蒸気拡散シート
【図１】
2014167180.tif 000003
【図２】
2014167180.tif 000004
【図３】
2014167180.tif 000005
【図４】
2014167180.tif 000006
【図５】
2014167180.tif 000007
【図６】
2014167180.tif 000008
【図７】
2014167180.tif 000009